(57)【要約】【課題】ヘッドレストの調整機能の範囲全体にわたって、シートベルトを正しく案内することのできる、ベルトガイドを提供する。【解決手段】子供の安全シート（２）用のベルトガイド（８Ｌ、８Ｒ）に関する。ベルトガイド（８Ｌ、８Ｒ）は、ベルト（４）を案内するためのガイド面を有するガイド部材（９）を備え、ガイド面は、ガイド面上を案内されるベルト（４）によって加えられる力に応答して自己調整するように移動可能である。【選択図】図１
2009530176.tif 000002
【特許請求の範囲】
【請求項１】
ベルトを案内するためのガイド面を有するガイド部材を備え、前記ガイド面上を案内されるベルトガイドによって加えられる力に応答して、前記ガイド面が自己調整するように移動可能である、子供安全シート用のベルトガイド。
【請求項２】
前記ガイド面が回転移動可能である、請求項１記載のベルトガイド。
【請求項３】
前記ガイド面が略垂直軸を中心に回転可能である、請求項１又は２記載のベルトガイド。
【請求項４】
前記ガイド面が略水平軸を中心に回転可能である、請求項１乃至３のいずれか一項に記載のベルトガイド。
【請求項５】
前記ガイド部材が摺動移動可能である、請求項１乃至４のいずれか一項に記載のベルトガイド。
【請求項６】
前記ガイド面が略垂直軸に沿って移動可能である、請求項１乃至５のいずれか一項に記載のベルトガイド。
【請求項７】
前記ガイド面が略水平軸に沿って移動可能である、請求項１乃至６のいずれか一項に記載のベルトガイド。
【請求項８】
子供安全シートのヘッドレスト内に組み込まれた、請求項１乃至７のいずれか一項に記載のベルトガイド。
【請求項９】
支持体をさらに備え、代替的ベルト案内の向きを取るために、前記ガイド部材が前記支持体に対して移動可能になるように、前記支持体に対して移動可能に取り付けられた支持体従動子が前記ガイド部材に形成された、請求項１乃至８のいずれか一項に記載のベルトガイド。
【請求項１０】
ベルトを案内するためのガイド面を有するガイド部材と、
支持体と、
を備え、
代替的ベルト案内の位置及び／又は向きを取るために、前記ガイド部材が前記支持体に対して移動可能であるように、前記支持体に対して移動可能に取り付けられた支持体従動子が前記ガイド部材に形成された、
子供安全シート用のベルトガイド。
【請求項１１】
前記支持体従動子が前記支持体に対して回転可能である、請求項９又は１０記載のベルトガイド。
【請求項１２】
前記支持体従動子が略垂直軸を中心に回転可能である、請求項９乃至１１のいずれか一項に記載のベルトガイド。
【請求項１３】
前記支持体従動子が略水平軸を中心に回転可能である、請求項９乃至１２のいずれか一項に記載のベルトガイド。
【請求項１４】
前記支持体従動子が前記支持体に対して摺動可能である、請求項９乃至１３のいずれか一項に記載のベルトガイド。
【請求項１５】
前記支持体従動子が前記支持体によって画定される経路に沿って摺動可能である、請求項９乃至１４のいずれか一項１に記載のベルトガイド。
【請求項１６】
前記支持体が略水平経路を画定し、それに沿って前記支持体従動子が摺動可能である、請求項１５記載のベルトガイド。
【請求項１７】
前記支持体が略垂直経路を画定し、それによって支持体従動子が摺動可能である、請求項１５又は１６記載のベルトガイド。
【請求項１８】
前記支持体によって画定される前記経路が湾曲経路である、請求項１５乃至１７のいずれか一項に記載のベルトガイド。
【請求項１９】
前記支持体従動子が前記支持体の軸を中心に回転可能である、請求項９乃至１８のいずれか一項に記載のベルトガイド。
【請求項２０】
前記支持体従動子が前記ガイド部材の軸を中心に回転可能である、請求項９乃至１９のいずれか一項に記載のベルトガイド。
【請求項２１】
前記ガイド部材が、前記ガイド面を前記支持体従動子に接続する接続部を備え、前記接続部が、前記支持体従動子に対する前記ガイド面の移動を可能にするために可撓部を備えた、請求項９乃至２０のいずれか一項に記載のベルトガイド。
【請求項２２】
前記支持体が溝を備えた、請求項９乃至２１のいずれか一項に記載のベルトガイド。
【請求項２３】
前記溝が大文字のＴ字状断面を有する請求項２２記載のベルトガイド。
【請求項２４】
前記溝が略円形断面を有する請求項２２記載のベルトガイド。
【請求項２５】
前記支持体従動子が、前記溝と係合しかつそれに沿って移動するための当接面を備えた、請求項２２乃至２４のいずれか一項に記載のベルトガイド。
【請求項２６】
前記当接面が、前記Ｔ字状溝と係合するために略円板状に形成される、請求項２３に従属する請求項２５記載のベルトガイド。
【請求項２７】
前記当接面が、前記略円形溝と係合するために略球形である、請求項２４に従属する請求項２５記載のベルトガイド。
【請求項２８】
前記支持体がレールを備えた、請求項９乃至２１のいずれか一項に記載のベルトガイド。
【請求項２９】
前記レールが略円形断面を有する、請求項２８記載のベルトガイド。
【請求項３０】
前記支持体従動子が、前記レールと係合しかつそれに沿って移動するためのループを備えた、請求項２８又は２９記載のベルトガイド。
【請求項３１】
前記ループが略円環である、請求項３０記載のベルトガイド。
【請求項３２】
安全シートのヘッドレスト内に組み込まれた、請求項９乃至３１のいずれか一項に記載のベルトガイド。
【請求項３３】
前記支持体が前記ヘッドレストの内部に延びる、請求項３２記載のベルトガイド。
【請求項３４】
前記支持体が前記ヘッドレストの外部に延びる、請求項３３記載のベルトガイド。
【請求項３５】
前記ヘッドレストが安全シートに取り付けられ、かつ前記安全シートが占有されているときに、前記支持体が、安全シートの乗員の肩の略垂直方向に上の領域に延びる経路を画定する、請求項３２乃至３４のいずれか一項に記載のベルトガイド。
【請求項３６】
添付図面の図１乃至１２及び図１４乃至２２に関連して明細書に実質的に記載した子供安全シート用のベルトガイド。
【請求項３７】
請求項１乃至３６のいずれか一項に記載したベルトガイドを備えた子供安全シート。
【発明の詳細な説明】
【技術分野】
【０００１】
本発明は、自動車シートベルト用のベルトガイドに関し、さらに詳しくは、子供安全シートと共に使用するためのベルトガイドに関する。
【背景技術】
【０００２】
自動車にすでに存在するシートベルトを用いて、子供を自動車内に拘束することを可能にする、自動車安全シートは公知である。そのような安全シートは、標準的自動車座席上に配置され、その座席用のシートベルトで所定の位置に固定される。シートベルトは、安全シートを自動車の座席に固定すると共に、子供を安全シートに固定するという二重の目的を果たすために、安全シートの周りに引き出され、かつ着座する子供の身体に引き掛けられる。
【０００３】
シートベルトの位置、特に子供の肩の領域における位置は、重要である。シートベルトの通過が子供の首に近すぎると、これは不快な擦接を生じ、かつ事故が発生した場合、望ましくない力を子供の首に掛けることがあり得る。他方、シートベルトの通過が子供の首に充分に近くなければ、ベルトは子供の肩から外れて、自動車が急停止又は急旋回場合に明白な危険につながる可能性が高い。
【０００４】
子供の肩の領域におけるシートベルトの位置の重要性を、添付図面の図２２〜図２５を参照しながら説明する。これらの図面は、シートベルト４によって標準的自動車座席３の適正な位置に固定された安全シート２に着座した子供１の側面図及び正面図を示す。図２２及び２３では、シートベルトは、リアパーセルシェルフの領域に取り付けられたディスペンサから引き出される。一方、図２４及び図２５では、シートベルトは、自動車のサイドドアピラーに取り付けられたディスペンサから引き出される。どちらの場合も、シートベルトが子供の肩上を通過する箇所では、シートベルトは充分に子供の首に近い位置になく、子供の肩から外れる可能性が高いことが見て取れる。
【０００５】
この問題に対処するために、幾つかの公知の安全シートは、幅広のフックの形のベルトガイドを使用し、そこにシートベルトを通している。ベルトガイドは、子供の肩の領域でシートベルトを案内するように、安全シートのヘッドレストに形成される。
【０００６】
しかし、公知のベルトガイドの有効性は、シートベルトに対するベルトガイドの位置及び向き（角度）に依存する。これが問題であるのは、シートベルトの取付け構成は自動車によって異なるので、上からベルトガイドに入るシートベルトの角度が異なり、結果的に子供の肩の領域におけるベルトガイドの下のシートベルトの角度及び位置が異なるためである。例えば、リアパーセルシェルフの領域に取り付けられたディスペンサから引き出されるシートベルトを正しく案内するベルトガイドは、サイドドアピラーに取り付けられたディスペンサから引き出されるシートベルトを正しく案内するとは限らない。
【０００７】
したがって、ある自動車で安全シート及び着座する子供を安全かつ快適に固定するように設計されたベルトガイドは、他の自動車では無効であり、有害であるかもしれない。
【０００８】
この問題を、添付図面の図１３を参照しながら説明する。図１３は、安全シート２のヘッドレスト６のウィング部６Ｒから延びるベルトガイド８Ｒ’を有する安全シートを示す。ここで、ベルトガイドは、リアパーセルシェルフの領域に取り付けられたディスペンサから引き出されるシートベルトと共に使用するように設計されている。しかし、図１３で、シートベルト４は、サイドドアピラーに取り付けられたディスペンサ１１０から引き出される。この場合、シートベルト４はベルトガイド８Ｒ’まで後方に引かなければならず、シートベルトがベルトガイドを通過する箇所で９０度屈曲する原因となる。その結果、シートベルトはベルトガイドを介して円滑に摺動することが妨げられ、それはディスペンサ機構の慣性機構が正しく機能することを妨げるおそれがある。
【０００９】
サイドドアピラーに取り付けられたディスペンサから引き出されるシートベルトと共に使用するように設計されたベルトガイドが、リアパーセルシェルフの領域に取り付けられたディスペンサから引き出されるシートベルトと共に使用される場合、同様の問題が発生することは理解される。
【００１０】
シートベルトがベルトガイドを介して円滑に摺動することを妨げる以外に、シートベルト取付け構成の変形例は結果的に、シートベルトが子供の肩及び首に不快に擦接し、より深刻には、ベルトガイドが存在するにもかかわらず、子供及び安全シートがシートベルトによって適正な位置に確実に保持されないという事態を招くことがあり得る。
【００１１】
体格の異なる子供を着座させるように調整可能なヘッドレストを有する安全シートは、子供が成長するにつれて、単一の安全シートを調整して子供を着座させることができるので、異なる大きさのシートを購入する必要性がないと言う点で有利である。  
【００１２】
ベルトガイドは一般的に、ベルトガイドの位置が、様々な肩の高さを考慮して、ヘッドレストと一緒に調整されるように、安全シートのヘッドレストに形成される。
【００１３】
しかしながら、上述の体格の異なる子供を着座させるように調整可能なヘッドレストを有する安全シートでは、ベルトガイドに入るシートベルトの角度は、ヘッドレストが調整される位置によって変化し、結果的に、子供の肩の領域におけるベルトガイドの下のシートベルトの角度及び位置に影響する。
【００１４】
例えば、ベルトガイドがシートベルトに対して高すぎる場合、又は低すぎる場合、シートベルトはベルトガイドを通過する位置でかなりの角度に屈曲しなければならず、そこを円滑に通過することが妨げられる。
【００１５】
さらに、シートベルトは子供の肩及び首に不快に擦接することがあり、より深刻には、子供／安全シートを適切な位置に充分に確実に保持しないかもしれない。
【発明の開示】
【発明が解決しようとする課題】
【００１６】
本発明は、ヘッドレストの調整機能の範囲全体にわたって、シートベルトを正しく案内することのできる、ベルトガイドを提供することを目的とする。
【課題を解決するための手段】
【００１７】
本発明の１態様では、子供安全シート用のベルトガイドであって、ベルトを案内するためのガイド面を有するガイド部材を備え、ガイド面上を案内されるベルトによって加えられる力に応答して、ガイド面が自己調整のために可動である、ベルトガイドを提供する。
【００１８】
したがって、シートベルトがガイド部材を通過するときに、ベルトの張力により、ベルトガイドは、ベルトを案内するための適切な位置及び／又は向きに自動的に移動する。
【００１９】
ガイド面は回転移動可能とすることができ、かつ／又はガイド部材は摺動移動可能とすることができる。さらに、ガイド面は、略垂直軸及び／又は略水平軸に沿って回転可能かつ／又は移動可能とすることができる。
【００２０】
ベルトガイドは、子供安全シートのヘッドレスト内に組み込むことができる。
【００２１】
ベルトガイドはさらに支持体を備えることが好ましく、その場合、代替的ベルト案内位置及び／又は向きを取るために、ガイド部材が支持体に対して移動可能であるように、ガイド部材には、支持体に対して移動可能に取り付けられる支持体従動子を形成することが好ましい。
【００２２】
したがって支持体は、安全シートの乗員に不快な擦接を生じるか、乗員の肩から外れる可能性が高くなるような仕方で、ベルトガイドがシートベルトを案内することを防止する。
【００２３】
本発明の別の態様では、子供安全シート用のベルトガイドであって、
ベルトを案内するためのガイド面を有するガイド部材と、
支持体と、
を備え、
代替的ベルト案内位置及び／又は向きを取るために、ガイド部材が支持体に対して移動可能であるように、支持体に対して移動可能に取り付けられた支持体従動子がガイド部材に形成された、
ベルトガイドを提供する。
【００２４】
したがって、ベルトガイドは、シートベルトが様々な角度でベルトガイドに入ったときに、シートベルトを効果的に案内するように配置することができる。同時に、支持体は、安全シートの乗員に不快な擦接を生じるか、乗員の肩から外れる可能性が高くなるような仕方で、ベルトガイドがシートベルトを案内することを防止する。
【００２５】
支持体従動子は、支持体に対して回転可能であることが好ましく、かつ略垂直軸及び／又は略水平軸を中心に回転可能とすることができる。
【００２６】
したがってガイド部材は、シートベルトを案内するために適切な向きに捻ることができる。
【００２７】
さらに、支持体従動子は支持体に対して摺動可能であることが好ましい。
【００２８】
したがって、ガイド部材は、シートベルトを案内するために適切な位置に摺動させることができる。
【００２９】
支持体従動子は、支持体によって画定される経路に沿って摺動可能とすることができる。支持体は略水平経路及び／又は略垂直経路を画定することができ、それに沿って支持体従動子は摺動可能である。支持体によって画定される経路は、湾曲経路とすることができる。
【００３０】
支持体従動子は、支持体の軸及び／又はガイド部材の軸を中心に回転可能とすることができる。
【００３１】
一実施形態では、ガイド部材はガイド面を支持体従動子に接続する接続部を備えることができ、該接続部は、支持体従動子に対するガイド面の（多方向）移動を可能にするために可撓部を備えている。
【００３２】
したがってガイド部材は、シートベルトを案内するために適切な位置／向きに屈曲しかつ捻ることができる。
【００３３】
一実施形態では、支持体は溝を備えることができ、溝は略大文字Ｔ字状断面を有することができる。代替的に、溝は略円形断面を有することができる。支持体が溝を備える場合、支持体従動子は、溝と係合してそれに沿って移動するための当接面を備えると好ましい。溝が大文字Ｔ字状断面を有する場合、当接面は、Ｔ字状溝と係合するために略円板状であると好ましい。溝が略円形断面を有する場合、当接面は、略円形溝と係合するために略球形であること好ましい。
【００３４】
別の実施形態では、支持体はレールを備えることができ、レールは略円形断面を有することができる。この場合、支持体従動子は、レールと係合してそれに沿って移動するためのループを備えると好ましい。ループは略円環とすることができる。
【００３５】
ベルトガイドは、子供安全シートのヘッドレスト内に組み込むこと好ましく、この場合、支持体はヘッドレストの内部又は外部に延びることができる。
【００３６】
ヘッドレストが安全シートに取り付けられ、かつ安全シートが占有されているときに、支持体は、安全シートの乗員の肩の略垂直方向に上の領域に延びる経路を画定することが好ましい。
【００３７】
したがって、ガイド部材が自由に動く領域は常に、安全シートの子供の肩の上あたりである。
【００３８】
上述したベルトガイドを備える子供安全シートを設けることができる。
【発明の効果】
【００３９】
本願発明に係るベルトガイによれば、ヘッドレストの調整機能の範囲全体にわたって、シートベルトを正しく案内することができる。
【００４０】
本発明の実施例について、これから添付図面を参照しながら説明し、様々な実施形態に共通する構成要素は、共通の参照番号を有する。
【発明を実施するための最良の形態】
【００４１】
本明細書で使用する用語の右及び左は、安全シートの着座者の位置における右及び左を指すものとする。
【００４２】
図１は、安全シート２に着座した子供１を示す。子供１及び安全シート２は両方とも、安全シート２の右側で自動車座席３の下部クッション内に設けられたロック機構５まで、子供の身体を斜め下方に横切って延びるシートベルト４によって、左側の自動車座席３に固定されている。シートベルトの膝部分は、ロック機構５から子供の膝を越えて、安全シートの左側で自動車座席３の下部クッションまで延びる。
【００４３】
安全シート２は、頸部７の上に設けられたヘッドレスト６を有する。頸部は安全シート２の本体に対して上下方向に摺動可能であり、複数の位置で固定することができる。これらの固定位置の間で頸部７を摺動させることにより、様々な大きさの子供を受け入れるように、ヘッドレスト６を安全シートの本体の上の複数の高さに調整することができる。
【００４４】
ヘッドレスト６は、中央部６Ｃと、子供の頭を支えるために中央部６Ｃから外向き前方に突出する右及び左ウィング部６Ｒ、６Ｌとを備えている。右及び左ウィング部６Ｒ、６Ｌはしたがって、子供の右肩及び左肩の上に略垂直に延びる。
【００４５】
本発明を具現する右及び左ベルトガイド８Ｒ、８Ｌは、右及び左ウィング部６Ｒ、６Ｌにそれぞれ設けられる。ベルトガイドは各々、ヘッドレスト６のウィング部６Ｒ、６Ｌから子供の肩の高さより上に懸吊されるシートベルト４を案内するためのガイド部材（ブラケット）９を備えている。破線で輪郭を示すシートベルト４と共に、ガイド部材９の拡大図を図２に示す。ガイド部材９は、ヘッドレスト内に設置されたときに、ヘッドレスト６から垂直下方に延びるアーム９ａを備える。アーム９ａの底部で、ガイド部材９はフック９ｂを形成するように丸く屈曲し、扁平基部が、図２に示すように標準シートベルトが通過するのに充分な広幅のガイド面を提供する。シートベルトがフック９ｂから外れるのを防止するために、フック９ｂの端はアーム９ａの底部に近い位置まで戻るように上向きに丸く屈曲される。シートベルトをガイド部材９内に挿通し、かつそこから取り外すことができるように、フック９ｂの端とアーム９ａとの間には小さい間隙が残される。
【００４６】
図１において、シートベルト４は、左ベルトガイド８Ｌのガイド部材９を介して延びる。図１に示す状況では、安全シートが左側自動車座席に位置するので、右ベルトガイド８Ｒは使用されない。しかし、安全シートが右側自動車座席に位置していた場合、シートベルトは子供の右肩の上を延びる。この状況では、左ベルトガイド８Ｌの代わりに右ベルトガイド８Ｒが使用される。
【００４７】
以下に述べるさらなる詳細から理解される通り、右及び左ベルトガイド８Ｒ、８Ｌのガイド部材９は、ヘッドレスト６の右及び左ウィング部６Ｒ及び６Ｌに対して特定の方向に自由に動くことができる。このようにして、ベルトガイド８Ｒ、８Ｌは、ガイド部材に入るときのシートベルト４の角度及び位置に対応した位置及び向きに関して自己調整することができる。
【００４８】
図３は図１に示したヘッドレスト６の斜視図であり、ベルトガイド８Ｌの一部を構成するヘッドレスト６の内部構造を示す。分かり易くするために、ヘッドレスト内部に形成されるベルトガイド８Ｌの構造が見えるように、ヘッドレストは透明に描かれており、外部構造は破線で輪郭を示される。図３に右ベルトガイド８Ｒの構造は示されていないが、以下の記述は、それにも同等に適用されることが理解される。
【００４９】
図４は、矢印Ｃの方向から見た、図３の線Ａ−Ａに沿って切ったヘッドレストの（平面）断面図である。図５は、矢印Ｃによって示される方向に見た、図３の線Ｂ−Ｂに沿って切ったヘッドレストの断面図である。
【００５０】
図３〜図５から分かるように、略一定の大文字Ｔ字状断面を持つ細長い溝４０は、湾曲水平軸Ｚ１に沿ってヘッドレスト６内を、左ウィング部６Ｌがヘッドレスト６の中央部６Ｃと交わる位置から、左ウィング部６Ｌに沿って約半分の位置まで延びる。溝４０の長手軸Ｚ１は、ウィング部６Ｌの前面及び後面に略平行に存在する。したがって溝４０はウィング部６Ｌの湾曲に従う。Ｔ字形の底部は、ウィング部６Ｌの底面に開口する。
【００５１】
ガイド部材９は、アーム９ａの頂部に設けられた円形ナット９ｃによって、溝４０内に懸吊される。ナット９ｃは、溝４０のＴ字形の「横棒」内に存在し、アーム９ａは、そこからＴ字形の「幹」部を介して下方に延び、ヘッドレスト６の下に出現する。
【００５２】
図３から分かるように、ナット９ｃの直径は、Ｔ字形の「横棒」部の幅よりわずかに小さい。さらに、アーム９ａの直径は「幹」部の幅よりわずかに小さい。その結果、ガイド部材９は溝の長さに沿って自由に摺動することができ、かつアーム９ａの長手軸Ｚ２を中心に自由に回転することができる。ガイド部材９が溝４０内を動く能力を図６〜図８に示す。図中、動く方向は実線の黒い矢印で示されている。
【００５３】
図６は後ろから見た安全シート２を示す。ベルトガイド８Ｌの内部構造が見えるように、左ベルトガイド８Ｌの領域のヘッドレスト６の一部分が切欠き図として示されている。図７は、安全シート２の側面図を示す。図８は、図６の線Ｆ−Ｆに沿って切った安全シート２の、矢印Ｇの方向に見た断面図を示す。
【００５４】
ガイド部材９が溝４０内を摺動しかつ回転することができるので、ベルトガイド８Ｒ及び８Ｌは自己調整することができる。換言すると、シートベルトがフック９ｂに挿通されたときに、シートベルトの張力により、ガイド部材９は自動的に適切な位置及び向きに移動する。同時に、溝４０によってガイド部材９の移動に課せられる限界は、シートベルト４が子供１及び安全シート２を確実に保持しなくなる位置まで、ガイド部材９が移動することを防止する。
【００５５】
したがって、シートベルトがどのように取り付けられるかに関係なく、かつシートベルトに対するベルトガイドの高さに関係なく、ベルトガイドはシートベルトを正しく案内することができる。
【００５６】
図９〜図１２は、本発明を具現するベルトガイド８Ｌを有する安全シート２が、様々な仕方で取り付けられたシートベルトとともにいかに機能するかを示す。簡素化するために、図９〜図１２に右ベルトガイドは示されていない。
【００５７】
図９及び図１０はそれぞれ、安全シート２に着座し、リアパーセルシェルフの領域に取り付けられたディスペンサ９０から引き出されるシートベルト４によって自動車座席３に固定された、子供１の側面図及び正面図である。ここで、ベルトガイド８Ｌのガイド部材９はウィング部６Ｌの後部に向かって位置し、フック９ｂはシートベルト４が延びる方向に略直角となるように方向付けられることが分かる。
【００５８】
図１１及び図１２は、図９及び図１０と同様の図であり、この場合、シートベルト４は、サイドドアピラーに取り付けられたディスペンサ１１０から延びる。ここで、ベルトガイド８Ｌのガイド部材９は、図９及び１０に示した実施例よりさらに前方に位置し、かつ再び、ガイド部材９は、フック９ｂがシートベルト４の延びる方向に略直角となるように向けられることが分かる。
【００５９】
図９〜図１２に示した実施例のどちらにおいても、子供及び安全シートは、シートベルト４によって適正な位置に確実に保持されることが分かる。
【００６０】
図１４は、図１３に示しかつ上述した現在公知の固定ベルトガイド８Ｒ’の動作と比較して、本発明を具現するベルトガイド８Ｒの動作を示す。
【００６１】
図１４から分かるように、本発明では、シートベルト４の張力により、ベルトガイド８Ｒを黒い矢印の方向に移動させる。その結果、シートベルト４がベルトガイド８Ｒを通過する位置におけるシートベルト４の屈曲は、図１３に示した状況と比較して、劇的に低減される。したがって、シートベルト４はベルトガイド８Ｒ内を円滑に通過して、子供１（及び安全シート２）を自動車座席３の適正な位置に快適かつ確実に保持することができる。
【００６２】
本発明について、溝内で摺動かつ回転することのできるガイド部材の文脈で上述した。しかし、代替的実施形態も予想される。
【００６３】
例えば、図１５及び図１６は、ヘッドレスト６のウィング部６Ｌの底部に形成された凹部１５１内に水平に延びるレール１５０を備えたベルトガイドを示す。
【００６４】
この実施形態では、ガイド部材１５９は、ナット９ｃの代わりにリング１５９ｃが設けられることを除き、前述の実施形態のガイド部材９と同様である。リング部は、レール１５０の直径よりわずかに大きい内径を持ち、レール１５０の周りに嵌合する。したがって、ガイド部材１５９はレールに沿って自由に摺動することができ、かつ、図１５及び図１６に黒い矢印で示すように、レールを中心に自由に回転することができる。
【００６５】
ヘッドレスト６に対するレール１５０の長さ及び水平方向位置は、前述の実施形態の溝４０の場合と実質的に同じである。したがって、ガイド部材１５９が摺動することのできる経路は、前述の実施形態のガイド部材９が摺動することのできる経路と実質的に同じである。しかし、前述の実施形態では、ガイド部材９はガイド部材９のアーム９ａの長手軸Ｚ２を中心に回転可能であった（図５参照）が、図１５及び１６の実施形態では、ガイド部材１５９はレール１５０の長手軸Ｚ３を中心に回転可能である。
【００６６】
本発明のさらなる実施形態を図１７〜図１９に示す。この実施形態では、ガイド部材１７９は、ナット９ｃ／リング１５９ｃの代わりにボール１７９ｃが設けられることを除き、前述の実施形態のガイド部材９／１５９と同様である。
【００６７】
ボール１７９ｃは溝１７０内に取り付けられる。溝１７０は、溝１７０が大文字Ｔ字状断面ではなく略円形断面を有することを除き、最初に記載した実施形態のガイド溝４０と同様である。図１９に示すように、溝１７０はウィング部６Ｌの下部裏面に開口し、そこにスロット１７１を形成する。
【００６８】
ヘッドレスト６に対する溝１７０の長さ及び水平方向位置は、前述の実施形態の溝４０の場合と実質的に同じである。したがって、ガイド部材１７９が摺動することのできる経路は、第１の実施形態のガイド部材９が摺動することのできる経路と実質的に同じである。しかし、第１の実施形態では、溝４０及びナット９ｃの形状により、ガイド部材９はガイド溝４０の長手軸Ｚ１を中心に回転することを防止される。対照的に、図１７〜図１９の実施形態では、溝１７０の略円形断面は、ボール１７９ｃの形状と協働して、ガイド部材がアーム１７９ａの長手軸Ｚ５及び溝１７０の長手軸Ｚ４の両方を中心に回転することを可能にする。
【００６９】
本発明のさらなる実施形態を図２０及び２１に示す。ここでは、構成は、ガイド部材２０９のアーム２０９ａが可撓部２０９ｄを備えることを除き、最初に記載した実施形態の構成と同一である。したがって、ガイド部材２０９は、第１の実施形態について記載したように摺動しかつ回転することができ、また図２１に示すように屈曲することもできる。
【００７０】
上記の実施形態に加えて、異なる実施形態の態様を組み合わせることが予想される。例えば、図２０及び図２１の実施形態の可撓部を、他の上記実施形態のいずれかに組み込むことができる。
【００７１】
上記の実施形態では、ガイド部材は略水平に摺動することができる。しかし、ガイド部材が水平に摺動する代わりに、又はそれに加えて、斜めにかつ／又は略垂直に摺動することのできる実施形態も予想される。
【００７２】
本発明について、調整可能な安全シートのヘッドレストに設けられたベルトガイドの文脈で上述している。しかし、本発明が非調整型安全シートにも同等に適用できることが、当業者には理解される。さらに、本発明を具現するベルトガイドは、安全シートのヘッドレスト内に設置する必要はない。例えば、ベルトガイドは安全シートの本体に、子供の肩より上に上向きに突出するように、設置することができる。本発明の他の適用も予想される。
【図面の簡単な説明】
【００７３】
【図１】本発明に係るベルトガイドを備えた子供安全シートを着座状態で示す正面図である。
【図２】本発明に係るベルトガイドのガイド部材、及び挿通されるシートベルトの輪郭を破線で示す拡大図である。
【図３】ベルトガイドの内部構造を示す、図１に示した安全シートのヘッドレストの拡大図である。
【図４】図３に示したヘッドレストの線Ａ−Ａに沿った平面視の断面図である。
【図５】図３に示したヘッドレストの線Ｂ−Ｂに沿った切断面を矢印Ｄ方向から見た断面図である。
【図６】ガイド部材の動きを示す、本発明に係るベルトガイドを備えた子供の安全シートの部分破断背面図である。
【図７】ガイド部材の動きを示す、図６に示した安全シートの側面図である。
【図８】ガイド部材の動きを示す、図６に示した安全シートの線Ｆ−Ｆに沿って平面視の断面図の断面図である。
【図９】シートベルトがリアパーセルシェルフの領域に取り付けられたディスペンサから引き出される状態で、本発明に係るベルトガイドの動作を示す安全シートの側面図である。
【図１０】図９に示した状況における安全シートの正面図である。
【図１１】シートベルトがサイドドアピラーに取り付けられたディスペンサから引き出される状態で、本発明に係るベルトガイドの動作を示す安全シートの側面図である。
【図１２】図１１に示した状況における安全シートの正面図である。
【図１３】従来公知の固定ベルトガイドを使用して、シートベルトによって安全シートに着座する子供を示す図である。
【図１４】図１３と対比させて本発明に係るベルトガイドの効果を現す図である。
【図１５】他の実施形態のベルトガイドを備えたヘッドレストの側面図である。
【図１６】図１５に示したヘッドレスト及びベルトガイドの背面図である。
【図１７】他の実施形態のベルトガイドを備えたヘッドレストの側面図である。
【図１８】図１７に示したヘッドレスト及びベルトガイドの部分破断背面図である。
【図１９】図１７及び１８に示したヘッドレスト及びベルトガイドの断面図である。
【図２０】さらに他の実施形態のベルトガイドを備えたヘッドレストの側面図である。
【図２１】図１７に示したヘッドレスト及びベルトガイドの部分破断背面図である。
【図２２】リアパーセルシェルフの領域に取り付けられたディスペンサから引き出されたシートベルトによって自動車座席に固定された、ベルトガイド無しの安全シートを着座状態で示す側面図である。
【図２３】リアパーセルシェルフの領域に取り付けられたディスペンサから引き出されたシートベルトによって自動車座席に固定された、ベルトガイド無しの安全シートを着座状態で示す正面図である。
【図２４】サイドドアパネルに取り付けられたディスペンサから引き出されたシートベルトによって自動車座席に固定された、ベルトガイド無しの安全シートを着座状態で示す側面図である。
【図２５】サイドドアパネルに取り付けられたディスペンサから引き出されたシートベルトによって自動車座席に固定された、ベルトガイド無しの安全シートを着座状態で示す正面図である。
【符号の説明】
【００７４】
２  子供安全シート用
８Ｒ、８Ｌ  ベルトガイド
４  ベルト
９  ガイド部材
【図１】
2009530176.tif 000003
【図２】
2009530176.tif 000004
【図３】
2009530176.tif 000005
【図４】
2009530176.tif 000006
【図５】
2009530176.tif 000007
【図６】
2009530176.tif 000008
【図７】
2009530176.tif 000009
【図８】
2009530176.tif 000010
【図９】
2009530176.tif 000011
【図１０】
2009530176.tif 000012
【図１１】
2009530176.tif 000013
【図１２】
2009530176.tif 000014
【図１３】
2009530176.tif 000015
【図１４】
2009530176.tif 000016
【図１５】
2009530176.tif 000017
【図１６】
2009530176.tif 000018
【図１７】
2009530176.tif 000019
【図１８】
2009530176.tif 000020
【図１９】
2009530176.tif 000021
【図２０】
2009530176.tif 000022
【図２１】
2009530176.tif 000023
【図２２】
2009530176.tif 000024
【図２３】
2009530176.tif 000025
【図２４】
2009530176.tif 000026
【図２５】
2009530176.tif 000027
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
車両用の子供安全シートであって、前記安全シートが、前記安全シートに対して車両シートベルトを案内するために前記安全シートに組み込まれた少なくとも１つのベルトガイドを有し、前記又は各ベルトガイドが、前記ベルトを案内するためのガイド面を有するガイド部材を備え、
前記ガイド面は、前記ガイド面上を案内されるときに前記ベルトによって加えられる力に応答して自由に移動して、前記ベルトが前記安全シートの乗員の肩の上を正しく通過するように案内される、前記安全シートに対するベルト案内位置及び／又は向きを取るように構成された、子供安全シート。
【請求項２】
前記ガイド面が回転移動可能である、請求項１記載の子供安全シート。
【請求項３】
前記ガイド面が略垂直軸を中心に回転可能である、請求項１又は２記載の子供安全シート。
【請求項４】
前記ガイド面が略水平軸を中心に回転可能である、請求項１乃至３のいずれか一項に記載の子供安全シート。
【請求項５】
前記ガイド部材が摺動移動可能である、請求項１乃至４のいずれか一項に記載の子供安全シート。
【請求項６】
前記ガイド面が略垂直軸に沿って移動可能である、請求項１乃至５のいずれか一項に記載の子供安全シート。
【請求項７】
前記ガイド面が略水平軸に沿って移動可能である、請求項１乃至６のいずれか一項に記載の子供安全シート。
【請求項８】
前記ベルトガイドが支持体をさらに備え、前記ガイド部材が前記支持体に対して移動可能になるように、前記支持体に対して移動可能に取り付けられた支持体従動子が前記ガイド部材に形成された、請求項１乃至７のいずれか一項に記載の子供安全シート。
【請求項９】
前記支持体従動子が前記支持体に対して回転可能である、請求項８記載の子供安全シート。
【請求項１０】
前記支持体従動子が略垂直軸を中心に回転可能である、請求項８又は９記載の子供安全シート。
【請求項１１】
前記支持体従動子が略水平軸を中心に回転可能である、請求項８乃至１０のいずれか一項に記載の子供安全シート。
【請求項１２】
前記支持体従動子が前記支持体に対して摺動可能である、請求項８乃至１１のいずれか一項に記載の子供安全シート。
【請求項１３】
前記支持体従動子が前記支持体によって画定される経路に沿って摺動可能である、請求項８乃至１２のいずれか一項１に記載の子供安全シート。
【請求項１４】
前記支持体が略水平経路を画定し、それに沿って前記支持体従動子が摺動可能である、請求項１３記載の子供安全シート。
【請求項１５】
前記支持体が略垂直経路を画定し、それによって支持体従動子が摺動可能である、請求項１３又は１４記載の子供安全シート。
【請求項１６】
前記支持体によって画定される前記経路が湾曲経路である、請求項１３乃至１５のいずれか一項に記載の子供安全シート。
【請求項１７】
前記支持体従動子が前記支持体の軸を中心に回転可能である、請求項８乃至１６のいずれか一項に記載の子供安全シート。
【請求項１８】
前記支持体従動子が前記ガイド部材の軸を中心に回転可能である、請求項８乃至１７のいずれか一項に記載の子供安全シート。
【請求項１９】
前記ガイド部材が、前記ガイド面を前記支持体従動子に接続する接続部を備え、前記接続部が、前記支持体従動子に対する前記ガイド面の移動を可能にするために可撓部を備える、請求項８乃至１８のいずれか一項に記載の子供安全シート。
【請求項２０】
前記支持体が溝を備えた、請求項８乃至１９のいずれか一項に記載の子供安全シート。
【請求項２１】
前記溝が大文字のＴ字状断面を有する請求項２０記載の子供安全シート。
【請求項２２】
前記溝が略円形断面を有する請求項２０記載の子供安全シート。
【請求項２３】
前記支持体従動子が、前記溝と係合しかつそれに沿って移動するための当接面を備えた、請求項２０乃至２２のいずれか一項に記載の子供安全シート。
【請求項２４】
前記当接面が、前記Ｔ字状溝と係合するために略円板状に形成される、請求項２１に従属する請求項２３記載の子供安全シート。
【請求項２５】
前記当接面が、前記略円形溝と係合するために略球形である、請求項２２に従属する請求項２３記載の子供安全シート。
【請求項２６】
前記支持体がレールを備えた、請求項８乃至１９のいずれか一項に記載の子供安全シート。
【請求項２７】
前記レールが略円形断面を有する、請求項２６記載の子供安全シート。
【請求項２８】
前記支持体従動子が、前記レールと係合しかつそれに沿って移動するためのループを備えた、請求項２６又は２７記載の子供安全シート。
【請求項２９】
前記ループが略円環である、請求項２８記載の子供安全シート。
【請求項３０】
前記ベルトガイドが子供安全シートのヘッドレスト内に組み込まれた、請求項１乃至２９のいずれか一項に記載の子供安全シート。
【請求項３１】
前記支持体が前記ヘッドレストの内部に延びる、請求項３０記載の子供安全シート。
【請求項３２】
前記支持体が前記ヘッドレストの外部に延びる、請求項３０記載の子供安全シート。
【請求項３３】
前記ヘッドレストが安全シートに取り付けられ、かつ前記安全シートが占有されているときに、前記支持体が、安全シートの乗員の肩の略垂直方向に上の領域に延びる経路を画定する、請求項３０乃至３２のいずれか一項に記載の子供安全シート。
【請求項３４】
添付図面の図１乃至１２及び図１４乃至２２に関連して明細書に実質的に記載した、車両シートベルトを安全シートに対して案内するために、前記安全シートに組み込まれた少なくとも１つのベルトガイドを有する、車両用の子供安全シート。
【国際調査報告】
2009530176.tif 000028
2009530176.tif 000029
2009530176.tif 000030